(57)【要約】  電話カード２００取り付け用カードホルダー装置１００及びモバイルデバイスである。カードホルダー装置１００は、内部に円環状のカードスロット１１が区画されるカードホルダー１と、カードホルダー１に設けられ、少なくとも一部がカードスロット１１の少なくとも一つの側壁に配置されて、電話カード２００がカードスロット１１内に載置される場合に、圧縮されて電話カード２００を押圧するように構成される弾性部材２とを備える。【選択図】  図４
2019512759.tif 000002
【特許請求の範囲】
【請求項１】
電話カードを取り付けるためのカードホルダー装置であって、
内部に環状のカードスロットが区画されるカードホルダーと、
該カードホルダーに設けられ、少なくとも一部が前記カードスロットの少なくとも一つの側壁に配置されて、前記電話カードが前記カードスロット内に載置される場合に、圧縮されて前記電話カードを押圧するように構成される弾性部材とを備える電話カードを取り付けるためのカードホルダー装置。
【請求項２】
前記弾性部材の少なくとも一部が前記カードスロットの一方の前記側壁に位置する請求項１に記載の電話カードを取り付けるためのカードホルダー装置。
【請求項３】
前記弾性部材の少なくとも一部が前記カードスロットの隣接する二つの前記側壁に位置する請求項１に記載の電話カードを取り付けるためのカードホルダー装置。
【請求項４】
前記弾性部材が、固定部と、結合部とを備え、
前記固定部が、前記カードホルダーにおける前記カードスロットの外側に位置する端面に設けられ、
前記結合部が、前記カードスロットの前記側壁に位置し、
前記電話カードが前記カードスロット内に載置される場合に、前記結合部が圧縮されて前記電話カードを押圧する請求項１から請求項３のいずれかに記載の電話カードを取り付けるためのカードホルダー装置。
【請求項５】
前記カードホルダーには、突起部及び固定穴のどちらか一方が設けられ、
前記固定部には、前記突起部及び前記固定穴の他方が設けられ、
前記突起部及び前記固定穴が結合されて前記弾性部材を前記カードホルダーに固定する請求項４に記載の電話カードを取り付けるためのカードホルダー装置。
【請求項６】
前記カードホルダーに前記突起部が設けられ、
前記固定部に前記固定穴が設けられる請求項５に記載の電話カードを取り付けるためのカードホルダー装置。
【請求項７】
前記固定部及び前記カードホルダーが溶接により接続される請求項４に記載の電話カードを取り付けるためのカードホルダー装置。
【請求項８】
前記弾性部材が前記カードスロットの前記側壁に貼り付けられる請求項１に記載の電話カードを取り付けるためのカードホルダー装置。
【請求項９】
前記弾性部材における前記カードスロットの前記側壁に位置する部分が長尺状の板状に形成される請求項１から請求項８のいずれかに記載の電話カードを取り付けるためのカードホルダー装置。
【請求項１０】
前記弾性部材における前記カードスロットの前記側壁に位置する部分の長さが、少なくとも前記カードスロットの対応する前記側壁の長さの３分の２である請求項９に記載の電話カードを取り付けるためのカードホルダー装置。
【請求項１１】
前記弾性部材における前記カードスロットの前記側壁に位置する部分には、前記電話カードの方向に向かって突出した突出部が形成され、
前記電話カードが前記カードスロット内に載置される場合に、前記突出部が圧縮されて前記電話カードを押圧する請求項９に記載の電話カードを取り付けるためのカードホルダー装置。
【請求項１２】
前記カードスロットが長方形の環状に形成される請求項１から請求項１１のいずれかに記載の電話カードを取り付けるためのカードホルダー装置。
【請求項１３】
前記カードスロットの形状が前記電話カードの形状とほぼ一致する請求項１から請求項１２のいずれかに記載の電話カードを取り付けるためのカードホルダー装置。
【請求項１４】
モバイルデバイスであって、
請求項１から請求項１３のいずれかに記載の電話カードを取り付けるためのカードホルダー装置を備えるモバイルデバイス。
【請求項１５】
前記モバイルデバイスが携帯電話である請求項１４に記載のモバイルデバイス。
【発明の詳細な説明】
【技術分野】
【０００１】
本発明は、モバイルデバイスの技術分野に関し、特に、電話カードを取り付けるためのカードホルダー装置及びモバイルデバイスに関するものである。
【背景技術】
【０００２】
電話カードの載置を便利にするために、モバイルデバイスには、一般的にカードホルダーが設けられる。しかしながら、電話カードのサイズに公差が存在するので、カードホルダーに電話カードを入れられない状況の発生を回避するために、カードホルダーのカードスロットの位置のサイズが一般的に電話カードのサイズより大きく、電話カードがカードホルダーの上に緩み状態にあるので、ユーザが電話カードを取り換える過程において、電話カードがカードホルダーに安定に載置されず、電話カードが偏移又は落下しやすく、ユーザの電話カード取り換えの体験がよくない。
【発明の概要】
【発明が解決しようとする課題】
【０００３】
本発明は、関連技術における一つの技術的課題を少なくともある程度で解決することを目的とする。そのため、本発明は、電話カードを取り付けるためのカードホルダー装置を提供する。カードホルダー装置は、改善された弾性部材を有し、電話カードがカードスロットの中に緩んでいるという課題を効果的に解決することができ、ユーザが電話カードを取り換える過程における電話カードの偏移又は落下を回避し、ユーザの体験を向上させる。
【０００４】
本発明は、上記電話カードを取り付けるためのカードホルダー装置を備えるモバイルデバイスをさらに提供する。
【課題を解決するための手段】
【０００５】
本発明の実施形態に係る電話カードを取り付けるためのカードホルダー装置は、内部に環状のカードスロットが区画されるカードホルダーと、該カードホルダーに設けられ、少なくとも一部が前記カードスロットの少なくとも一つの側壁に配置されて、前記電話カードが前記カードスロット内に載置される場合に、圧縮されて前記電話カードを押圧するように構成される弾性部材とを備える。
【０００６】
本発明の実施形態に係る電話カードを取り付けるためのカードホルダー装置は、カードホルダーに弾性部材が設けられ、弾性部材の少なくとも一部がカードスロットの少なくとも一つの側壁に位置することにより、ユーザが電話カードをカードスロット内に取り付ける場合に、弾性部材が圧縮されて電話カードを押圧する。これにより、構造が簡単であるだけではなく、電話カードがカードスロットの中に緩んでいるという課題を効果的に解決することができる。また、ユーザが電話カードを取り換える過程において、電話カードがカードスロットから偏移又は落下することを回避し、ユーザの電話カード取り換えの迅速、安全かつ安心な操作体験を向上させ、実用性に優れる。
【０００７】
本発明の実施形態の一部においては、前記弾性部材の少なくとも一部が前記カードスロットの一方の前記側壁に位置してもよい。
【０００８】
好ましくは、前記弾性部材の少なくとも一部が前記カードスロットの隣接する二つの前記側壁に位置する。
【０００９】
本発明の実施形態の一部においては、前記弾性部材が、固定部と、結合部とを備え、前記固定部が、前記カードホルダーにおける前記カードスロットの外側に位置する端面に設けられ、前記結合部が、前記カードスロットの前記側壁に位置し、前記電話カードが前記カードスロット内に載置される場合に、前記結合部が圧縮されて前記電話カードを押圧してもよい。
【００１０】
さらに、前記カードホルダーには、突起部及び固定穴のどちらか一方が設けられ、前記固定部には、前記突起部及び前記固定穴の他方が設けられ、前記突起部及び前記固定穴が結合されて前記弾性部材を前記カードホルダーに固定してもよい。
【００１１】
具体的には、前記カードホルダーに前記突起部が設けられ、前記固定部に前記固定穴が設けられる。
【００１２】
さらに、前記固定部及び前記カードホルダーが溶接により接続されてもよい。
【００１３】
本発明の実施形態の一部においては、前記弾性部材が前記カードスロットの前記側壁に貼り付けられてもよい。
【００１４】
本発明の実施形態の一部においては、前記弾性部材における前記カードスロットの前記側壁に位置する部分が長尺状の板状に形成されてもよい。
【００１５】
さらに、前記弾性部材における前記カードスロットの前記側壁に位置する部分の長さが、少なくとも前記カードスロットの対応する前記側壁の長さの３分の２であってもよい。
【００１６】
具体的には、前記弾性部材における前記カードスロットの前記側壁に位置する部分には、前記電話カードの方向に向かって突出した突出部が形成され、前記電話カードが前記カードスロット内に載置される場合に、前記突出部が圧縮されて前記電話カードを押圧してもよい。
【００１７】
好ましくは、前記カードスロットが長方形の円環状に形成される。
【００１８】
好ましくは、前記カードスロットの形状が前記電話カードの形状とほぼ一致する。
【００１９】
本発明の実施形態に係るモバイルデバイスは、上記電話カードを取り付けるためのカードホルダー装置を備えている。
【００２０】
本発明の実施形態に係るモバイルデバイスは、上記電話カードを取り付けるためのカードホルダー装置が設けられることにより、構造が簡単であるだけではなく、電話カードがカードスロットの中に緩んでいるという課題を効果的に解決することができる。また、ユーザが電話カードを取り換える過程において、電話カードがカードスロットから偏移又は落下することを回避し、ユーザの電話カード取り換えの迅速、安全かつ安心な操作体験を向上させ、実用性に優れる。
【００２１】
好ましくは、モバイルデバイスが携帯電話である。
【図面の簡単な説明】
【００２２】
【図１】本発明の一実施形態に係るカードホルダーの構造概略図である。
【図２】本発明の一実施形態に係る弾性部材の構造概略図である。
【図３】本発明の一実施形態に係るカードホルダー装置の構造概略図である。
【図４】本発明の一実施形態に係るカードホルダー装置の他の方向の構造概略図である。
【図５】本発明の一実施形態に係るカードホルダー装置と電話カードの組み立ての概略図である。
【図６】図５に示すＡ箇所の丸で囲まれる部分の拡大図である。
【発明を実施するための形態】
【００２３】
以下、本発明の一実施形態について詳しく説明する。実施形態の一例が図面に示されている。以下、図面を参照しながら説明される実施形態は、例示的なものであり、本発明を解釈することを目的とし、本発明を限定するものと理解してはいけない。
【００２４】
なお、本発明の説明において、「長さ」、「幅」、「厚み」、「上」、「下」、「前」、「後」、「左」、「右」、「鉛直」、「水平」、「頂」、「底」、「内」、「外」などの用語が示す方位又は位置関係は、図面に示す方位又は位置関係に基づき、本発明を便利に又は簡単に説明するためのものであり、指定された装置又は部品が特定の方位にあり、特定の方位において構造され操作されることを指示又は暗示するものではないので、本発明を限定するものと理解されるものではない。本発明の説明において、明確且つ具体的な限定がない限り、「複数」とは、少なくとも二つ、例えば、二つ、三つなどを意味する。
【００２５】
本発明において、明確な規定及び限定がない限り、「取り付ける」、「互いに接続する」、「接続する」、「固定する」などの用語の意味は広義に理解されるべきである。例えば、固定接続や、着脱可能な接続や、或いは一体的な接続でも可能である。機械的な接続や、電気的な接続も可能である。直接的に接続すること、中間媒体を介して間接的に接続すること、二つの部品の内部が連通すること、あるいは二つの部品の間に相互の作用関係があることも可能である。当業者にとって、具体的な場合に応じて上記用語の本発明においての具体的な意味を理解することができる。
【００２６】
以下、図１から図６に示されるように、本発明の一実施形態に係る電話カード２００取り付け用カードホルダー装置１００について説明する。
電話カード２００を取り付けるために、カードホルダー装置１００は、例えば携帯電話のようなモバイルデバイスに適用することができる。
【００２７】
図１から図４に示されるように、本発明の一実施形態に係る電話カード２００取り付け用カードホルダー装置１００は、カードホルダー１と、弾性部材２とを備える。電話カード２００をカードホルダー１に取り付けることができる。
【００２８】
具体的には、カードホルダー１内には、円環状のカードスロット１１が区画され、電話カード２００は、カードスロット１１内に収容されることができる。なお、カードスロット１１の形状は、電話カード２００の形状とほぼ一致する。例えば、図１及び図３から図５に示されるように、電話カード２００は、略方形の形状に形成され、カードスロット１１は、長方形の円環状に形成される。
【００２９】
弾性部材２は、カードホルダー１に設けられる。弾性部材２の少なくとも一部は、カードスロット１１の少なくとも一つの側壁に配置される。これにより、従来のカードホルダーの構造形式及びサイズを変更する必要はなく、弾性部材２の設置は、カードホルダー１において余分なスペースを占有せず、構造が簡単、かつコンパクトである。
【００３０】
具体的には、弾性部材２は、電話カード２００がカードスロット１１内に載置される場合に、圧縮されて電話カード２００を押圧するように構成される。例えば、図３から図６に示されるように、弾性部材２の少なくとも一部は、カードスロット１１のうち一方の側壁に位置し、電話カード２００がカードスロット１１内に取り付けられる場合に、弾性部材２の、カードスロット１１のうち一方の側壁に位置する部分は、圧縮されて電話カード２００を押圧する。当然のことながら、本発明は、これに限定されず、他の実施例において、弾性部材２の少なくとも一部は、カードスロット１１の隣接する二つの側壁に位置してもよい。電話カード２００がカードスロット１１内に取り付けられる場合には、弾性部材２の、カードスロット１１の隣接する二つ側壁に位置する部分は、圧縮されてそれぞれ電話カード２００を押圧する。これにより、電話カード２００がカードスロット１１の中で緩んでいるという課題を効果的に解決することができ、ユーザが電話カード２００を取り換える過程において、電話カード２００がカードスロット１１から偏移又は落下することが回避され、ユーザが電話カード２００を取り換える場合に迅速、安全かつ安心に操作するように体験を向上させ、実用性に優れる。
【００３１】
本発明の実施形態に係る電話カード２００取り付け用カードホルダー装置１００は、カードホルダー１に弾性部材２が設けられ、弾性部材２の少なくとも一部がカードスロット１１の少なくとも一つの側壁に位置することにより、ユーザが電話カード２００をカードスロット１１内に取り付ける場合に、弾性部材２は、圧縮されて電話カード２００を押圧する。これにより、構造が簡単であるだけではなく、電話カード２００がカードスロット１１の中で緩んでいるという課題を効果的に解決することができ、ユーザが電話カード２００を取り換える過程において電話カード２００がカードスロット１１から偏移又は落下することを回避し、ユーザが電話カード２００を取り換える場合に迅速、安全かつ安心に操作するように体験を向上させ、実用性に優れる。
【００３２】
本発明の一実施形態の一部においては、図２に示されるように、弾性部材２は、固定部２１と、結合部２２とを備える。固定部２１は、結合部２２に設けられ、また固定部２１は、カードホルダー１においてカードスロット１１の外側の端面に位置するように設けられる。結合部２２は、カードスロット１１の側壁に位置し、電話カード２００がカードスロット１１内に載置される場合に、結合部２２は、圧縮されて電話カード２００を押圧する。これにより、簡単に信頼性を向上する。
【００３３】
さらに、カードホルダー１には、突起部及び固定穴のうちどちらか一方が設けられ、固定部２１には、突起部及び固定穴のうちのもう一方が設けられる。突起部及び固定穴は、結合されて弾性部材２をカードホルダー１に固定する。これにより、簡単に信頼性を向上する。具体的には、図１及び図２に示されるように、カードホルダー１には、突起部１２が設けられ、固定部２１には、固定穴２１１が設けられる。固定部２１における固定穴２１１は、カードホルダー１における突起部１２に結合され、カードホルダー１と弾性部材２との固定が実現される。
【００３４】
当然のことながら、本発明は、これに限定されず、他の実施例において、カードホルダー１と固定部２１とが他の方法により固定されてもよい。例えば、固定部２１とカードホルダー１とが、溶接により接続されて弾性部材２をカードホルダー１に固定してもよい。
【００３５】
本発明の他の実施例の一部において、弾性部材２は、カードスロット１１の側壁に貼り付けられてもよい。これにより、弾性部材２との固定が実現される。当然のことながら、本発明は、これに限定されず、他の実施例において、カードスロット１１の側壁には、取付溝（図示せず）が設けられてもよく、弾性部材２は、取付溝内に取り付けられ、弾性部材２のカードホルダー１への固定を実現する。
【００３６】
本発明の実施形態の一部において、図２に示されるように、弾性部材２においてカードスロット１１の側壁に位置する部分は、長尺状の板状に形成されてもよい。これにより、簡単に信頼性を向上する。具体的には、弾性部材２においてカードスロット１１の側壁に位置する板状の部分には、電話カード２００の方向に向かって突出した突出部２２１が形成され、電話カード２００がカードスロット１１内に載置される場合に、突出部２２１は、圧縮されて電話カード２００を押圧する。
【００３７】
好ましくは、弾性部材２においてカードスロット１１の側壁に位置する部分の長さは、少なくともカードスロット１１における対応する側壁の長さの３分の２である。電話カード２００がカードスロット１１内に載置される場合には、弾性部材２および電話カード２００の接触面積の増大に有利であり、弾性部材２が確実に圧縮されて電話カード２００を強固に押圧する。
【００３８】
以下、図１から図６を参考にして本発明の具体的な一実施形態に係る電話カード２００取り付け用カードホルダー装置１００の構造について詳しく説明する。
【００３９】
図１から図４に示されるように、本実施形態の電話カード２００取り付け用カードホルダー装置１００は、カードホルダー１と、弾性部材２とを備える。カードホルダー１内には、円環状のカードスロット１１が区画され、弾性部材２は、カードホルダー１に設けられる。弾性部材２の少なくとも一部は、カードスロット１１のうち一方の側壁に位置し、弾性部材２は、電話カード２００がカードスロット１１内に載置される場合に、圧縮されて電話カード２００を押圧するように構成される。
【００４０】
具体的には、図２に示されるように、弾性部材２は、固定部２１と、結合部２２とを備える。固定部２１は、結合部２２に設けられ、かつ、固定部２１は、カードホルダー１においてカードスロット１１の外側の端面に位置するように設けられる。結合部２２は、カードスロット１１の側壁に位置し、電話カード２００がカードスロット１１内に載置される場合に、結合部２２は、圧縮されて電話カード２００を押圧する。これにより、簡単に信頼性を向上する。
【００４１】
さらに、図１及び図２に示されるように、カードホルダー１には、突起部１２が設けられ、固定部２１には、固定穴２１１が設けられ、固定部２１における固定穴２１１は、カードホルダー１における突起部１２に結合される。これにより、カードホルダー１と弾性部材２との固定が実現される。
【００４２】
図２に示されるように、弾性部材２においてカードスロット１１の側壁に位置する部分、即ち結合部２２は、長尺状の板状に形成される。これにより、簡単に信頼性を向上する。
【００４３】
弾性部材２においてカードスロット１１の側壁に位置する部分、即ち結合部２２の長さは、少なくともカードスロット１１における対応する側壁の長さの３分の２である。電話カード２００がカードスロット１１内に載置される場合には、弾性部材２と電話カード２００の接触面積の増大に有利であり、弾性部材２は、確実に圧縮されて電話カード２００を強固に押圧する。
【００４４】
本発明の一実施形態に係るモバイルデバイスは、上記電話カード２００取り付け用カードホルダー装置１００を備える。
【００４５】
本発明の一実施形態に係るモバイルデバイスは、上記電話カード２００取り付け用カードホルダー装置１００が設けられることにより、構造が簡単であるだけではなく、電話カード２００がカードスロット１１の中で緩んでいるという課題を効果的に解決することができる。また、ユーザが電話カード２００を取り換える過程において、電話カード２００がカードスロット１１から偏移又は落下することを回避し、ユーザが電話カード２００を取り換える場合に迅速、安全かつ安心に操作するように体験を向上させ、実用性に優れる。
【００４６】
本発明の説明において、「一実施形態」、「実施形態の一部」、「一例」、「具体的な例」、或いは「実施例の一部」などの用語を参照した説明は、実施形態或いは実施例に合わせて説明された具体的な特徴、構成、材料或いは特性が、本発明の少なくとも一つの実施形態或いは実施例に含まれることを意味する。本明細書において、上記用語に対する例示的な説明は、必ずしも同じ実施形態或いは実施例を指すことではない。また、説明された具体的な特徴、構成、材料或いは特性は、いずれか一つ或いは複数の実施形態又は実施例において適切に結合することができる。なお、互いに矛盾しない限り、当業者は、本明細書に説明された異なる実施形態又は実施例、及び異なる実施形態又は実施例の特徴を結合し、組み合わせることができる。
【００４７】
以上に、本発明の実施形態を示して説明したが、なお、上記実施形態は、例示的なものであり、本発明を限定するものと理解してはいけない。当業者は、本発明の範囲内で上記実施例に対して変更、修正、取り替え及び変形を行うことができる。
【符号の説明】
【００４８】
１００  カードホルダー装置
１      カードホルダー
１１    カードスロット
１２    突起部
２      弾性部材
２１    固定部
２１１  固定穴
２２    結合部
２２１  突出部
２００  電話カード
【図１】
2019512759.tif 000003
【図２】
2019512759.tif 000004
【図３】
2019512759.tif 000005
【図４】
2019512759.tif 000006
【図５】
2019512759.tif 000007
【図６】
2019512759.tif 000008
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
電話カードを取り付けるためのカードホルダー装置であって、
内部に環状のカードスロットが区画されるカードホルダーと、
該カードホルダーに設けられ、少なくとも一部が前記カードスロットの少なくとも一つの側壁に配置されて、前記電話カードが前記カードスロット内に載置される場合に、圧縮されて前記電話カードを押圧するように構成される弾性部材とを備える電話カードを取り付けるためのカードホルダー装置。
【請求項２】
前記弾性部材の少なくとも一部が前記カードスロットの一方の前記側壁に位置する、又は、前記弾性部材の少なくとも一部が前記カードスロットの隣接する二つの前記側壁に位置する請求項１に記載の電話カードを取り付けるためのカードホルダー装置。
【請求項３】
前記弾性部材が、固定部と、結合部とを備え、
前記固定部が、前記カードホルダーにおける前記カードスロットの外側に位置する端面に設けられ、
前記結合部が、前記カードスロットの前記側壁に位置し、
前記電話カードが前記カードスロット内に載置される場合に、前記結合部が圧縮されて前記電話カードを押圧する請求項１又は請求項２に記載の電話カードを取り付けるためのカードホルダー装置。
【請求項４】
前記固定部が、前記結合部の中間位置に設けられている請求項３に記載の電話カードを取り付けるためのカードホルダー装置。
【請求項５】
前記カードホルダーには、突起部及び固定穴のどちらか一方が設けられ、
前記固定部には、前記突起部及び前記固定穴の他方が設けられ、
前記突起部及び前記固定穴が結合されて前記弾性部材を前記カードホルダーに固定する請求項３又は請求項４に記載の電話カードを取り付けるためのカードホルダー装置。
【請求項６】
前記カードホルダーに前記突起部が設けられ、
前記固定部に前記固定穴が設けられる請求項５に記載の電話カードを取り付けるためのカードホルダー装置。
【請求項７】
前記固定部及び前記カードホルダーが溶接により接続される請求項４から請求項６のいずれかに記載の電話カードを取り付けるためのカードホルダー装置。
【請求項８】
前記弾性部材が前記カードスロットの前記側壁に貼り付けられる請求項１から請求項７のいずれかに記載の電話カードを取り付けるためのカードホルダー装置。
【請求項９】
前記カードスロットの前記側壁に取付溝が設けられ、
前記弾性部材が前記取付溝内に取り付けられている請求項１から請求項７のいずれかに記載の電話カードを取り付けるためのカードホルダー装置。
【請求項１０】
前記弾性部材における前記カードスロットの前記側壁に位置する部分が長尺状の板状に形成される請求項１から請求項９のいずれかに記載の電話カードを取り付けるためのカードホルダー装置。
【請求項１１】
前記弾性部材における前記カードスロットの前記側壁に位置する部分の長さが、少なくとも前記カードスロットの対応する前記側壁の長さの３分の２である請求項１０に記載の電話カードを取り付けるためのカードホルダー装置。
【請求項１２】
前記弾性部材における前記カードスロットの前記側壁に位置する部分には、前記電話カードの方向に向かって突出した突出部が形成され、
前記電話カードが前記カードスロット内に載置される場合に、前記突出部が圧縮されて前記電話カードを押圧する請求項１０又は請求項１１に記載の電話カードを取り付けるためのカードホルダー装置。
【請求項１３】
前記カードスロットが長方形の環状に形成される請求項１から請求項１２のいずれかに記載の電話カードを取り付けるためのカードホルダー装置。
【請求項１４】
前記カードスロットの形状が前記電話カードの形状とほぼ一致する請求項１から請求項１３のいずれかに記載の電話カードを取り付けるためのカードホルダー装置。
【請求項１５】
モバイルデバイスであって、
請求項１から請求項１４のいずれかに記載の電話カードを取り付けるためのカードホルダー装置を備えるモバイルデバイス。
【手続補正２】
【補正対象書類名】明細書
【補正対象項目名】０００８
【補正方法】変更
【補正の内容】
【０００８】
又は、前記弾性部材の少なくとも一部が前記カードスロットの隣接する二つの前記側壁に位置してもよい。
【手続補正３】
【補正対象書類名】明細書
【補正対象項目名】００１０
【補正方法】変更
【補正の内容】
【００１０】
本発明の実施形態の一部においては、前記固定部が、前記結合部の中間位置に設けられていてもよい。
さらに、前記カードホルダーには、突起部及び固定穴のどちらか一方が設けられ、前記固定部には、前記突起部及び前記固定穴の他方が設けられ、前記突起部及び前記固定穴が結合されて前記弾性部材を前記カードホルダーに固定してもよい。
【手続補正４】
【補正対象書類名】明細書
【補正対象項目名】００１３
【補正方法】変更
【補正の内容】
【００１３】
本発明の実施形態の一部においては、前記弾性部材が前記カードスロットの前記側壁に貼り付けられてもよい。
本発明の実施形態の一部においては、前記カードスロットの前記側壁に取付溝が設けられ、前記弾性部材が前記取付溝内に取り付けられていてもよい。
【手続補正５】
【補正対象書類名】明細書
【補正対象項目名】００３７
【補正方法】変更
【補正の内容】
【００３７】
好ましくは、弾性部材２においてカードスロット１１の側壁に位置する部分の長さは、少なくともカードスロット１１における対応する側壁の長さの３分の２である。電話カード２００がカードスロット１１内に載置される場合には、弾性部材２および電話カード２００の接触面積の増大に有利であり、弾性部材２が確実に圧縮されて電話カード２００を強固に押圧する。実施形態の一部において、固定部２１は、結合部２２の中間位置に設けられている。
【国際調査報告】
2019512759.tif 000009
2019512759.tif 000010
2019512759.tif 000011
2019512759.tif 000012
2019512759.tif 000013
2019512759.tif 000014